(57)【要約】    【課題】  縦部材への取付けを、容易に確実強固に行える棚板用受け金具の提供。    【解決手段】  棚板用受け金具１は、各縦部材２の間に掛渡す棚板３に当接し支持する金具本体４と、この金具本体４の一方側に一体形成した両係止片５と、金具本体４にその他方側から螺入しておりその螺入側先端部に押し広げ部６ａが形成されている係止用ネジ部材６とを備える。そして、両係止片５は、押し広げ部６ａにより押し広げられて、縦部材２の係止用溝２ａに係止するように構成している。このことから、金具本体４の両係止片５を縦部材２の係止用溝２ａに挿入すると共に、係止用ネジ部材６を螺入してその押し広げ部６ａで両係止片５を押し広げるという一連の簡単な作業により、縦部材２の係止用溝２ａに係止させて行う棚板用受け金具１の取付け作業を、容易、確実、強固に行えるようにしている。【選択図】    図１
2005124611.tif 000002
【特許請求の範囲】
【請求項１】
所定間隔で立設した各縦部材に、その長手方向へ延びる係止用溝に係止することで設けられて、前記各縦部材の間に掛渡す棚板を受ける棚板用受け金具であり、
前記棚板に当接して支持する金具本体と、この金具本体の一方側に一体に形成されている両係止片と、前記金具本体の他方側から金具本体の内部に螺入しておりその螺入側先端部に押し広げ部が形成されている係止用ネジ部材とを備えており、
前記両係止片は、前記係止用ネジ部材の押し広げ部により押し広げられて、前記縦部材の係止用溝に係止することを特徴とする棚板用受け金具。
【請求項２】
前記両係止片は、前記金具本体側が間隔を開けた状態で、前記係止用溝に係止する中央部分が互いに接触する状態の円弧状に形成していると共に、前記係止用ネジ部材の押し広げ部は、前記両係止片の中央部分を押し広げた時において、両係止片に密接する円弧状外周面を有する先細り状に形成していることを特徴とする請求項１記載の棚板用受け金具。
【発明の詳細な説明】
【技術分野】
【０００１】
この発明は、オフィスや展示場などの室内で用いる間仕切り、収納枠、作業台などにおいて、その各縦部材の間に掛渡す棚板を受ける棚板用受け金具に関するものである。
【背景技術】
【０００２】
各縦部材の間に掛渡す棚板を受ける受け金具としては、例えば、図５の（ａ）に示すように、ボルト頭の部分に狭持片３１ａを形成している取付け用ボルト３１と、この取付け用ボルト３１に螺合して棚板３２（図５の（ｂ）参照）を支持する支持用ナット３３とからなるものが知られている。なお、この図５は横断面図である。
この受け金具３０で棚板を受けて支持させるには、先ず、図５の（ａ）に示すように、取付け用ボルト３１の狭持片３１ａの長手方向を、縦部材３４の長手方向へ延びる係止用溝３４ａに沿う状態にして、取付け用ボルト３１の狭持片３１ａを係止用溝３４ａの内部に挿入した後、狭持片３１ａ（取付け用ボルト３１）を回転させて係止用溝３４ａの開口側部分に係止させる。
次に、係止用溝３４ａの内部に係止させた取付け用ボルト３１への、支持用ナット３３の螺入量を増大させる。このことで、図５の（ｂ）に示すように、取付け用ボルト３１の狭持片３１ａと支持用ナット３３とが係止用溝３４ａの開口側部分を強固に狭持することになり、受け金具３０の縦部材３４への取付けが行われる。
そして、この縦部材３４に取付けた受け金具３０によって、各縦部材３４の間に掛渡す棚板３２を受けて支持することになる。
この従来の受け金具では、縦部材への取付け時に、「取付け用ボルトの狭持片を係止用溝の内部に挿入した後、狭持片（取付け用ボルト）を回転させて係止用溝の開口側部分に係止させる」という作業が必要になる。
また、この従来の受け金具では、取付け用ボルトの狭持片と支持用ナットとで係止用溝の開口側部分を狭持すべく、支持用ナットを回転させて取付け用ボルトへの螺入量を増大させる時に、取付け用ボルトも一緒に回転してしまう恐れがある。そのため、この支持用ナットの回転（取付け用ボルトへの螺入）を取付け用ボルトが回転しないようにして行う必要がある。
【特許文献１】特開平９−２３９３７号公報
【特許文献２】特開平１１−９３５８号公報
【特許文献３】特開２００１−６１５６９号公報
【発明の開示】
【発明が解決しようとする課題】
【０００３】
解決しようとする問題点は、長手方向へ延びる係止用溝に係止することにより、棚板受け用の受け金具を縦部材に取付ける時において、取付け用ボルトの狭持片を係止用溝へ挿入した後に回転させる作業と、取付け用ボルトの回転（所謂とも回り）を防止する作業という面倒な二つの作業が必要である等から、棚板を設ける作業全体を面倒なものとしている点である。
この発明は前述した事情に鑑みて創案されたもので、その目的は縦部材への取付けを、容易に、確実で強固に行える棚板用受け金具を提供することにある。
【課題を解決するための手段】
【０００４】
この発明（請求項１の発明）の棚板用受け金具では、所定間隔で立設した各縦部材の間に掛渡す棚板に当接して支持する金具本体と、この金具本体の一方側に一体に形成されている両係止片と、金具本体の他方側から金具本体の内部に螺入している係止用ネジ部材とを備えている。そして、両係止片は、係止用ネジ部材における金具本体内部への螺入側先端部に形成した押し広げ部により押し広げられて、縦部材の長手方向へ延びる係止用溝に係止する構成としている。
また、この発明（請求項２の発明）の棚板用受け金具における前記両係止片は、金具本体側が間隔を開けた状態で、係止用溝に係止する中央部分が互いに接触する状態の円弧状に形成している。また、この発明（請求項２の発明）の棚板用受け金具における前記係止用ネジ部材の押し広げ部は、両係止片の中央部分を押し広げた時において、両係止片に密接する円弧状外周面を有する先細り状に形成している。
【発明の効果】
【０００５】
この発明の棚板用受け金具によれば、「各縦部材の間に掛渡す棚板に当接し支持する金具本体と、この金具本体の一方側に一体形成した両係止片と、金具本体にその他方側から螺入する係止用ネジ部材とを備える。両係止片は、係止用ネジ部材の螺入側先端部である押し広げ部により押し広げられ、縦部材の係止用溝に係止する。」ことにより、金具本体の両係止片を縦部材の係止用溝に挿入すると共に、係止用ネジ部材を螺入してその押し広げ部で両係止片を押し広げるという一連の簡単な作業によって、縦部材の係止用溝に係止させて行う取付け作業を、容易、確実、強固に行うことができる。
また、この発明の棚板用受け金具によれば、「棚板用受け金具の両係止片は、金具本体側が間隔を開けた状態で、係止用溝に係止する中央部分が互いに接触する状態の円弧状に形成している。また、棚板用受け金具の係止用ネジ部材の押し広げ部は、両係止片の中央部分を押し広げた時において、両係止片に密接する円弧状外周面を有する先細り状に形成している。」ことにより、係止用ネジ部材の押し広げ部によって、両係止片の押し広げがスムーズに行えると共に、両係止片をより強い力で確実に押し広げることができて、両係止片の係止用溝への係止状態を強固に保持することができる。
【発明を実施するための最良の形態】
【０００６】
図１はこの発明の棚板用受け金具を示す概略図で、図２および図３はこの発明の棚板用受け金具の縦部材への取付け状態を示す概略図で、図４はこの発明の棚板用受け金具による棚板の支持状態を示す概略図でる。なお、図２〜４図は横断面図である。
そして、各図において、符号１は棚板用受け金具で、４は金具本体で、５は金具本体４に一体に形成した係止片で、６は金具本体４の他方側からその内部に螺入した係止用ネジ部材である。
棚板用受け金具１（請求項１の発明）は、所定間隔で立設した各縦部材２に設けられてその各縦部材２の間に掛渡す棚板３に当接して支持する金具本体４と、この金具本体４の一方側に一体に形成されている両係止片５と、金具本体４の他方側から金具本体４の内部に螺入しておりその螺入側先端部に押し広げ部６ａが形成されている係止用ネジ部材６とを備えている（図１および図４参照）。
そして、この棚板用受け金具１における両係止片５は、係止用ネジ部材６の押し広げ部６ａにより押し広げられて、縦部材２の長手方向へ延びる係止用溝２ａに係止する構成としている。
この実施形態での金具本体４は、他方側の係止用ネジ部材６が螺入する底壁４ａと、この底壁４ａから一方側へ延びる両側壁４ｂとから、断面略コ字状に形成されている。
この実施形態での係止片５は、断面略コ字状の金具本体４における開口部側の両側壁４ｂがそれぞれ一方側へ延びて、金具本体４と一体に二片形成されている。そして、この両係止片５は、金具本体４側が間隔を開けた状態で、係止用溝２ａに係止する中央部分が互いに接触する状態の円弧状に形成している（請求項２の発明）。
この実施形態での係止用ネジ部材６の押し広げ部６ａは、両係止片５の中央部分を押し広げた時において、両係止片５に密接する円弧状外周面を有する先細り状に形成している（請求項２の発明）。
このような構成からなるこの発明の棚板用受け金具１の縦部材２への取付けは、次に述べるようにして行う。
先ず、図１に示すように、押し広げ部６ａが金具本体４の内部位置となるようにして、金具本体４の他方側（底壁４ａ）から金具本体４の内部へ係止用ネジ部材６を一定量螺入する。なお、この状態での両係止片５は、縦部材２の係止用溝２ａに係止する中央部分が互いに接触している。
次に、この係止用ネジ部材６を螺入した棚板用受け金具１における金具本体４の両係止片５を、図２に示すように、縦部材２の係止用溝２ａに挿入する。
その後、図３に示すように、係止用ネジ部材６をさらに螺入して、その押し広げ部６ａを、両係止片５の互いに接触する中央部分に挿入させると共に、この中央部分に挿入した押し広げ部６ａが両係止片５を押し広げることにより、両係止片５が係止用溝２ａに強固に係止して、棚板用受け金具１が縦部材２に取付けられる。
そして、この縦部材２に取付けられた棚板用受け金具１により、図４に示すように、棚板３を支持することとなる。
なお、この実施形態では、両係止片５を円弧状に形成していると共に、押し広げ部６ａを両係止片５に密接する円弧状外周面を有する先細り状に形成していることから、押し広げ部６ａによって、両係止片５の押し広げがスムーズに行えると共に、両係止片５をより強い力で確実に押し広げることができる。
従って、棚板用受け金具１の両係止片５が、縦部材２の係止用溝２ａに係止している状態を強固に保持することができる。
このように、この発明の棚板用受け金具１によれば、金具本体４の両係止片５を縦部材２の係止用溝２ａに挿入すると共に、係止用ネジ部材６を螺入してその押し広げ部６ａで両係止片５を押し広げるという一連の簡単な作業によって、縦部材２の係止用溝２ａに係止させて行う棚板用受け金具１の取付け作業を、容易、確実、強固に行うことができる。
【図面の簡単な説明】
【０００７】
【図１】（ａ）はこの発明の棚板用受け金具を示す概略図で、（ｂ）は（ａ）のＡ−Ａ線断面図である。
【図２】この発明の棚板用受け金具の縦部材への取付け状態を示す概略図である。
【図３】この発明の棚板用受け金具の縦部材への取付け状態を示す概略図である。
【図４】この発明の棚板用受け金具による棚板の支持状態を示す概略図である。
【図５】（ａ）および（ｂ）は従来の受け金具の縦部材への取付け状態を示す概略図である。
【符号の説明】
【０００８】
１    棚板用受け金具
２    縦部材
２ａ  係止用溝
３    棚板
４    金具本体
４ａ  底壁
４ｂ  側壁
５    係止片
６    係止用ネジ部材
６ａ  押し広げ部
【図１】
2005124611.tif 000003
【図２】
2005124611.tif 000004
【図３】
2005124611.tif 000005
【図４】
2005124611.tif 000006
【図５】
2005124611.tif 000007